【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
カラーフィルタを備えた透過型のカラー液晶表示パネルを背面側から白色光で照明するバックライト装置であって、
光源として、
複数の発光素子を列状に配列させてなり、所定の輝度を示し、所定の色度の白色光を発光する複数の第１の主発光素子列と、
複数の発光素子を列状に配列させてなり、上記所定の輝度より低い輝度を示し、上記所定の色度の白色光を発光する、上記第１の主発光素子列より少数の第２の主発光素子列と、
複数の発光素子を列状に配列させてなり、上記所定の輝度を示し、上記所定の色度近傍の色度の白色光を発光する、上記第１の主発光素子列より少数の第１の副発光素子列と、
複数の発光素子を列状に配列させてなり、上記所定の輝度より低い輝度を示し、上記所定の色度近傍の色度の白色光を発光する、上記第１の副発光素子列より少数の第２の副発光素子列とを備え、
上記第１の主発光素子列、上記第２の主発光素子列、上記第１の副発光素子列及び上記第２の副発光素子列を、上記カラー液晶表示パネルの水平方向を長手方向として、上記カラー液晶表示パネルの垂直方向に１次元マトリックス状に配列させる際、
上記第１の副発光素子列を、色度に基づいて上記カラー液晶表示パネルの中心側に配列させ、
上記第２の主発光素子列を、輝度に基づいて上記カラー液晶表示パネルの周縁側に配列させ、
上記第２の副発光素子列を、色度に基づいて上記カラー液晶表示パネルの中心側に配列させるか、輝度に基づいて上記カラー液晶表示パネルの周縁側のいずれかに配列させること
を特徴とするバックライト装置。
【請求項２】
上記第１の副発光素子列、上記第２の副発光素子列を２行以上配列させる場合、色度に基づいて所定の数の上記第１の主発光素子列を介して配列させること
を特徴とする請求項１記載のバックライト装置。
【請求項３】
カラーフィルタを備えた透過型のカラー液晶表示パネルを背面側から白色光で照明するバックライト装置であって、
光源として、
複数の発光素子を列状に配列させてなり、所定の輝度を示し、所定の色度の白色光を発光する複数の第１の主発光素子列と、
複数の発光素子を列状に配列させてなり、上記所定の輝度より低い輝度を示し、上記所定の色度の白色光を発光する、上記第１の主発光素子列より少数の第２の主発光素子列と、
複数の発光素子を列状に配列させてなり、上記所定の輝度を示し、上記所定の色度近傍の色度の白色光を発光する、上記第１の主発光素子列より少数の第１の副発光素子列と、
複数の発光素子を列状に配列させてなり、上記所定の輝度より低い輝度を示し、上記所定の色度近傍の色度の白色光を発光する、上記第１の副発光素子列より少数の第２の副発光素子列とを備え、
上記第１の主発光素子列、上記第２の主発光素子列、上記第１の副発光素子列及び上記第２の副発光素子列を、上記カラー液晶表示パネルの水平方向を長手方向として２次元マトリックス状に配列させる際、
上記第１の副発光素子列を、色度に基づいて同一行上に隣り合って並ぶことなく配列させると共に、２次元マトリックスの中心列に配列させる上記第１の副発光素子列を上記カラー液晶表示パネルの中心側に配列させ、
上記第２の主発光素子列を、輝度に基づいて上記カラー液晶表示パネルの周縁側に配列させ、
上記第２の副発光素子列を、色度に基づいて同一行上に隣り合って並ぶことなく、上記カラー液晶表示パネルの中心側に配列させるか、輝度に基づいて上記カラー液晶表示パネルの周縁側に配列させること
を特徴とするバックライト装置。
【請求項４】
上記第１の副発光素子列、上記第２の副発光素子列を、２次元マトリックスの同一列上に、２行以上配列させる場合、色度に基づいて所定の数の上記第１の主発光素子列を介して配列させることを特徴とする請求項３記載のバックライト装置。
【請求項５】
カラーフィルタを備えた透過型のカラー液晶表示パネルを背面側から白色光で照明するバックライト装置であって、
光源として、
複数の発光素子を列状に配列させてなり、所定の色度の白色光を発光する複数の主発光素子列と、
複数の発光素子を列状に配列させてなり、上記所定の色度近傍の色度の白色光を発光する、上記主発光素子列より少数の副発光素子列とを備え、
上記主発光素子列、上記副発光素子列を、上記カラー液晶表示パネルの水平方向を長手方向として、上記カラー液晶表示パネルの垂直方向に１次元マトリックス状に配列させる際、
上記副発光素子列を、上記カラー液晶表示パネルの中心側に配列させること
を特徴とするバックライト装置。
【請求項６】
上記副発光素子列を２行以上配列させる場合、所定の数の上記主発光素子列を介して配列させる
ことを特徴とする請求項５記載のバックライト装置。
【請求項７】
カラーフィルタを備えた透過型のカラー液晶表示パネルを背面側から白色光で照明するバックライト装置であって、
光源として、
複数の発光素子を列状に配列させてなり、所定の色度の白色光を発光する複数の主発光素子列と、
複数の発光素子を列状に配列させてなり、上記所定の色度近傍の色度の白色光を発光する、上記主発光素子列より少数の副発光素子列とを備え、
上記主発光素子列、上記副発光素子列を、上記カラー液晶表示パネルの水平方向を長手方向として、２次元マトリックス状に配列させる際、
上記副発光素子列を、同一行上に隣り合って並ぶことなく配列させると共に、２次元マトリックスの中心列に配列させる上記副発光素子列を上記カラー液晶表示パネルの中心側に配列させること
を特徴とするバックライト装置。
【請求項８】
上記副発光素子列を、２次元マトリックスの同一列上に、２行以上配列させる場合、所定の数の上記主発光素子列を介して配列させること
を特徴とする請求項７記載のバックライト装置。
【請求項９】
カラーフィルタを備えた透過型のカラー液晶表示パネルを背面側から白色光で照明するバックライト装置であって、
光源として、
複数の発光素子を列状に配列させてなり、所定の輝度を示す白色光を発光する複数の主発光素子列と、
複数の発光素子を列状に配列させてなり、上記所定の輝度より低い輝度を示す白色光を発光する、上記主発光素子列より少数の副発光素子列とを備え、
上記主発光素子列、上記副発光素子列を、上記カラー液晶表示パネルの水平方向を長手方向として、上記カラー液晶表示パネルの垂直方向に１次元マトリックス状に配列させる際、
上記副発光素子列を、上記カラー液晶表示パネルの周縁側に配列させること
を特徴とするバックライト装置。
【請求項１０】
カラーフィルタを備えた透過型のカラー液晶表示パネルを背面側から白色光で照明するバックライト装置であって、
光源として、
複数の発光素子を列状に配列させてなり、所定の輝度を示す白色光を発光する複数の主発光素子列と、
複数の発光素子を列状に配列させてなり、上記所定の輝度より低い輝度を示す白色光を発光する、上記主発光素子列より少数の副発光素子列とを備え、
上記主発光素子列、上記副発光素子列を、上記カラー液晶表示パネルの水平方向を長手方向として２次元マトリックス状に配列させる際、
上記副発光素子列を、上記カラー液晶表示パネルの周縁側に配列させること
を特徴とするバックライト装置。
【請求項１１】
カラーフィルタを備えた透過型のカラー液晶表示パネルと、上記カラー液晶表示パネルを背面側から白色光で照明するバックライト装置を備える表示装置であって、
上記バックライト装置は、
光源として、
複数の発光素子を列状に配列させてなり、所定の輝度を示し、所定の色度の白色光を発光する複数の第１の主発光素子列と、
複数の発光素子を列状に配列させてなり、上記所定の輝度より低い輝度を示し、上記所定の色度の白色光を発光する、上記第１の主発光素子列より少数の第２の主発光素子列と、
複数の発光素子を列状に配列させてなり、上記所定の輝度を示し、上記所定の色度近傍の色度の白色光を発光する、上記第１の主発光素子列より少数の第１の副発光素子列と、
複数の発光素子を列状に配列させてなり、上記所定の輝度より低い輝度を示し、上記所定の色度近傍の色度の白色光を発光する、上記第１の副発光素子列より少数の第２の副発光素子列とを備え、
上記第１の主発光素子列、上記第２の主発光素子列、上記第１の副発光素子列及び上記第２の副発光素子列を、上記カラー液晶表示パネルの水平方向を長手方向として、上記カラー液晶表示パネルの垂直方向に１次元マトリックス状に配列させる際、
上記第１の副発光素子列を、色度に基づいて上記カラー液晶表示パネルの中心側に配列させ、
上記第２の主発光素子列を、輝度に基づいて上記カラー液晶表示パネルの周縁側に配列させ、
上記第２の副発光素子列を、色度に基づいて上記カラー液晶表示パネルの中心側に配列させるか、輝度に基づいて上記カラー液晶表示パネルの周縁側のいずれかに配列させること
を特徴とする表示装置。
【手続補正２】
【補正対象書類名】明細書
【補正対象項目名】発明の名称
【補正方法】変更
【補正の内容】
【発明の名称】バックライト装置及び表示装置
【手続補正３】
【補正対象書類名】明細書
【補正対象項目名】０００１
【補正方法】変更
【補正の内容】
【０００１】
本発明は、カラー液晶表示パネルを照明するバックライト装置、及び、バックライト装置を備えた表示装置に関し、詳しくは、バックライト装置の光源として用いる色度、輝度にばらつきのある白色光を発光する発光ダイオードユニットを色度ムラ、輝度ムラを抑制させながら適切に配列させたバックライト装置、及び、このバックライト装置を備えた表示装置に関する。
【手続補正４】
【補正対象書類名】明細書
【補正対象項目名】０００７
【補正方法】変更
【補正の内容】
【０００７】
そこで、本発明は、上述したような問題を解決するために案出されたものであり、色度、輝度にばらつきのある発光ダイオードを無駄にすることなく用いて光源を構成した場合でも、色度ムラ、輝度ムラのない白色光を出射し、カラー液晶表示パネルの照明光とする、製造コストを大幅に削減したバックライト装置、及び、表示装置を提供することを目的とする。
【手続補正５】
【補正対象書類名】明細書
【補正対象項目名】００１３
【補正方法】変更
【補正の内容】
【００１３】
また、上述の目的を達成するために、本発明に係るバックライト装置は、カラーフィルタを備えた透過型のカラー液晶表示パネルを背面側から白色光で照明するバックライト装置であって、光源として、複数の発光素子を列状に配列させてなり、所定の輝度を示す白色光を発光する複数の主発光素子列と、複数の発光素子を列状に配列させてなり、上記所定の輝度より低い輝度を示す白色光を発光する、上記主発光素子列より少数の副発光素子列とを備え、上記主発光素子列、上記副発光素子列を、上記カラー液晶表示パネルの水平方向を長手方向として２次元マトリックス状に配列させる際、上記副発光素子列を、上記カラー液晶表示パネルの周縁側に配列させることを特徴とする。
さらに、本発明は、カラーフィルタを備えた透過型のカラー液晶表示パネルと、上記カラー液晶表示パネルを背面側から白色光で照明するバックライト装置を備える表示装置であって、上記バックライト装置は、光源として、複数の発光素子を列状に配列させてなり、所定の輝度を示し、所定の色度の白色光を発光する複数の第１の主発光素子列と、複数の発光素子を列状に配列させてなり、上記所定の輝度より低い輝度を示し、上記所定の色度の白色光を発光する、上記第１の主発光素子列より少数の第２の主発光素子列と、複数の発光素子を列状に配列させてなり、上記所定の輝度を示し、上記所定の色度近傍の色度の白色光を発光する、上記第１の主発光素子列より少数の第１の副発光素子列と、複数の発光素子を列状に配列させてなり、上記所定の輝度より低い輝度を示し、上記所定の色度近傍の色度の白色光を発光する、上記第１の副発光素子列より少数の第２の副発光素子列とを備え、上記第１の主発光素子列、上記第２の主発光素子列、上記第１の副発光素子列及び上記第２の副発光素子列を、上記カラー液晶表示パネルの水平方向を長手方向として、上記カラー液晶表示パネルの垂直方向に１次元マトリックス状に配列させる際、上記第１の副発光素子列を、色度に基づいて上記カラー液晶表示パネルの中心側に配列させ、上記第２の主発光素子列を、輝度に基づいて上記カラー液晶表示パネルの周縁側に配列させ、上記第２の副発光素子列を、色度に基づいて上記カラー液晶表示パネルの中心側に配列させるか、輝度に基づいて上記カラー液晶表示パネルの周縁側のいずれかに配列させることを特徴とする。